(57)【要約】      （修正有）【課題】特定の領域に対する被管理対象者の入退室の管理を高い信頼性をもって確実に行うことのできる入退室管理システムの提供。【解決手段】人の出入りが制限される立ち入り制限領域（特定領域）Ａに対する、被管理対象者Ｈの入退室を管理する入退室管理システムにおいて、特定領域の入退室口に設置された、回転式ゲート機１１、被管理対象者に付与されたパッシブ型ＲＦＩＤタグ５５から発信される当該被管理対象者に係る自他識別信号を受信する信号受信手段３０および回転式ゲート機に対して所定の位置に設置された２つのゲートセンサーを具えてなる管理ゲートシステム１０と、管理ゲートシステムからの検知信号に基づいて、被管理対象者の特定領域に対する入退室を管理する管理装置５０とを具えてなり、信号受信手段は、被管理対象者が回転式ゲート機内に存在するときにのみ当該被管理対象者に係る自他識別信号が受信される大きさの通信可能範囲を有する。【選択図】図２
2008156931.tif 000002
【特許請求の範囲】
【請求項１】
予め登録された被管理対象者のみが入退室可能とされた立ち入り制限領域に対する、当該被管理対象者の入退室を管理する入退室管理システムにおいて、
前記立ち入り制限領域の入退室口に設置された管理ゲートシステムと、管理ゲートシステムからの検知信号に基づいて、被管理対象者の立ち入り制限領域に対する入退室を管理する管理装置とを具えてなり、
管理ゲートシステムは、被管理対象者の入退室を制限する回転式ゲート機と、被管理対象者に付与された無線発信器から発信される当該被管理対象者のＩＤ情報を含む自他識別信号を受信する信号受信手段と、立ち入り制限領域に対して回転式ゲート機の外方側および内方側の位置に設置された外方側ゲートセンサーおよび内方側ゲートセンサーとを具えてなり、
信号受信手段は、被管理対象者が回転式ゲート機内に存在するときにのみ当該被管理対象者に係る自他識別信号が受信される大きさの通信可能範囲を有するものであることを特徴とする入退室管理システム。
【請求項２】
回転式ゲート機は、設置面に対して鉛直方向に伸びる軸を中心に回動可能とされた回動枠体を具えてなり、当該回動枠体内の搭乗用スペースは、２人以上の被管理対象者が同時に進入することが許容されない大きさとされていることを特徴とする請求項１に記載の入退室管理システム。
【請求項３】
回転式ゲート機には、回動枠体内の搭乗用スペースにおける人の存在を検知するゲート機内エリアセンサーが設けられており、
人が回動枠体内に進入したことが当該ゲート機内エリアセンサーによって検知されることにより回動枠体の回動が禁止されたロック状態とされ、無線発信器から発信される自他識別信号が信号受信手段によって受信されることによりロックが解除されることを特徴とする請求項２に記載の入退室管理システム。
【請求項４】
回動枠体内の搭乗用スペースに対する出入り口用の開口部の位置を検出する位置検出手段が設置されていることを特徴とする請求項２または請求項３に記載の入退室管理システム。
【請求項５】
無線発信器として、パッシブ型ＲＦＩＤタグが用いられることを特徴とする請求項１乃至請求項４のいずれかに記載の入退室管理システム。
【請求項６】
立ち入り制限領域内に存在する被管理対象者の人数および当該被管理対象者のＩＤ情報を表示する表示装置を具えてなることを特徴とする請求項１乃至請求項５のいずれかに記載の入退室管理システム。
【発明の詳細な説明】
【技術分野】
【０００１】
本発明は、人の出入りが制限されるべき立ち入り制限領域に対する、予め当該立ち入り制限領域に対する入退室が許可された被管理対象者の入退室を管理する入退室管理システムに関する。
【背景技術】
【０００２】
例えば、プレスラインやその他の大型機械が設置された、機械の駆動により人が危険な状態となり得る領域や、放射線管理区域、あるいは高度の機密が要求される場所などの、人の出入りが制限されるべき立ち入り制限領域に対する入退室を管理するための入退室管理システムとして、これまでに種々のタイプのものが提案されており、例えば、立ち入り制限領域に入退室する作業者に対して、所定の検出動作に応答する無線式のレスポンダを付与し、このレスポンダからの応答を検出することにより立ち入り制限領域に入退室する作業者を監視し、作業者が立ち入り制限領域内に存在しているにも関わらず、機械が再起動されることなどの不測の事態が発生することを防止して作業者の安全を確保するための入退室管理システムなどがある（例えば特許文献１参照）。
【０００３】
【特許文献１】特許第３６１６６９６号公報
【発明の開示】
【発明が解決しようとする課題】
【０００４】
しかしながら、例えばセンサーの検出ミスや人為的なミスが介入することがあるなどの理由から、立ち入り制限領域に対する入退室の管理を高い信頼性をもって確実に行うことできていないのが実状である。
【０００５】
本発明は、以上のような事情に基づいてなされたものであって、人の出入りが制限されるべき立ち入り制限領域に対する、被管理対象者の入退室の管理を、高い信頼性をもって確実に行うことのできる入退室管理システムを提供することを目的とする。
【課題を解決するための手段】
【０００６】
本発明の入退室管理システムは、予め登録された被管理対象者のみが入退室可能とされた立ち入り制限領域に対する、当該被管理対象者の入退室を管理する入退室管理システムにおいて、
前記立ち入り制限領域の入退室口に設置された管理ゲートシステムと、管理ゲートシステムからの検知信号に基づいて、被管理対象者の立ち入り制限領域に対する入退室を管理する管理装置とを具えてなり、
管理ゲートシステムは、被管理対象者の入退室を制限する回転式ゲート機と、被管理対象者に付与された無線発信器から発信される当該被管理対象者のＩＤ情報を含む自他識別信号を受信する信号受信手段と、立ち入り制限領域に対して回転式ゲート機の外方側および内方側の位置に設置された外方側ゲートセンサーおよび内方側ゲートセンサーとを具えてなり、
信号受信手段は、被管理対象者が回転式ゲート機内に存在するときにのみ当該被管理対象者に係る自他識別信号が受信される大きさの通信可能範囲を有するものであることを特徴とする。
【０００７】
本発明の入退室管理システムにおいては、回転式ゲート機は、設置面に対して鉛直方向に伸びる軸を中心に回動可能とされた回動枠体を具えてなり、当該回動枠体内の搭乗用スペースは、２人以上の被管理対象者が同時に進入することが許容されない大きさとされていることが好ましい。
【０００８】
また、本発明の入退室管理システムにおいては、回転式ゲート機には、回動枠体内の搭乗用スペースにおける人の存在を検知するゲート機内エリアセンサーが設けられており、  人が回動枠体内に進入したことが当該ゲート機内エリアセンサーによって検知されることにより回動枠体の回動が禁止されたロック状態とされ、無線発信器から発信される自他識別信号が信号受信手段によって受信されることによりロックが解除される構成とされていることが好ましい。
【０００９】
さらにまた、本発明の入退室管理システムにおいては、回動枠体内の搭乗用スペースに対する出入り口用の開口部の位置を検出する位置検出手段が設置された構成とされていることが好ましい。
【００１０】
さらにまた、本発明の入退室管理システムにおいては、無線発信器として、パッシブ型ＲＦＩＤタグを用いることができる。
【００１１】
さらにまた、本発明の入退室管理システムにおいては、立ち入り制限領域内に存在する被管理対象者の人数および当該被管理対象者のＩＤ情報を表示する表示装置を具えた構成とされていることが好ましい。
【発明の効果】
【００１２】
本発明の入退室管理システムによれば、基本的には、例えばパッシブ型ＲＦＩＤタグなどの無線発信器から発信される、被管理対象者についてのＩＤ情報を含む自他識別信号を検出することにより、被管理対象者が特別な行為を行うことなしに、当該被管理対象者の、立ち入り制限領域に対する入退室がいわば自動的に管理されるので、被管理対象者の立ち入り制限領域に対する入退室の管理および無線発信器を所持しない不当な人の出入りの規制を高い信頼性をもって確実に行うことができ、しかも、回転式ゲート機が用いられていると共に信号受信手段の通信可能範囲が実質的に回転式ゲート機内のエリアをカバーする程度の大きさであることにより、立ち入り制限領域と当該立ち入り制限領域以外の他の領域との境界に、明確な被管理対象者の検出エリアが確立されて被管理対象者を一人ずつ管理することができるので、被管理対象者の立ち入り制限領域に対する入退室の管理、例えば立ち入り制限領域内に滞在する被管理対象者の人数の管理を確実に行うことができる。
また、例えば入退室口が複数箇所ある立ち入り制限領域についての管理を行う場合には、管理ゲートシステムからの検知信号が共通の管理装置によって一括して管理されるので、被管理対象者の入退室口の利用に関する制限がなくなり、高い利便性を得ることができる。
【００１３】
また、信号受信手段、外方側ゲートセンサーおよび内方側ゲートセンサーに加えて更に、ゲート機内エリアセンサーおよび位置検出手段を具えていることにより、被管理対象者の移動方向の特定を極めて高い精度で行うことができ、被管理対象者の入退室の管理を一層高い信頼性をもって行うことができる。
さらに、被管理対象者についてのＩＤ情報が表示装置に表示されることにより、立ち入り制限領域内に存在する被管理対象者を第三者が容易に確認することができる。
【発明を実施するための最良の形態】
【００１４】
図１は、本発明の入退室管理システムの一例における構成の概略を示す説明図、図２は、図１に示す入退室管理システムを構成する管理ゲートシステムにおける構成を概略的に示す斜視図、図３は、図２示す管理ゲートシステムの構成を概略的に示す平面図である。  この入退室管理システムは、人の出入りが制限されるべき立ち入り制限領域（以下、「特定領域Ａ」という。）における複数箇所の入退室口Ｇの各々に設置された管理ゲートシステム１０と、例えば特定領域Ａと離れた位置において設置された、各管理ゲートシステム１０からの検知信号に基づいて、被管理対象者Ｈの特定領域Ａへの出入りを一括して管理する管理装置５０および特定領域Ａに存在している被管理対象者Ｈの人数および当該被管理対象者ＨのＩＤ情報（例えば氏名等）を表示する表示装置５１とにより構成されており、管理ゲートシステム１０を通過しない限り、立ち入り制限領域内に進入することおよび立ち入り制限領域から退出することが不可能とされている。
【００１５】
管理ゲートシステム１０は、当該管理ゲートシステム１０を通過しようとする人が被管理対象者Ｈであることの正当性の判断を一人ずつ行うために、複数の人が同時に通行することを規制（伴連れを禁止）する、例えば双方向に通行（特定領域Ａへの進入および特定領域Ａからの退出）可能な回転式ゲート機１１を具えている。
【００１６】
この回転式ゲート機１１は、図４〜図６に示すように、４本の支柱１３が、例えば方形板状のベース１４の上面における４隅の位置に、各々鉛直方向に伸びるよう設けられてなるメインフレーム１２と、このメインフレーム１２内に配設された、２人以上の人が同時に進入することが許容されない広さの略円柱状の内部空間を有する回動枠体２０とを具えており、メインフレーム１２における互いに対向する２箇所の開口部（図５および図６において左右の開口部）がそれぞれ回動枠体２０内に出入りするための外方側通過口１５Ａおよび内方側通過口１５Ｂとされている。
【００１７】
回動枠体２０は、ベース１４の上面における中央位置に設けられた、円盤状の搭乗用固定板１８およびこの搭乗用固定板１８の形状中心位置を中心に搭乗用固定板１８の外周縁に沿って回転可能に支持された円環状の回転板２１よりなるターンテーブル２５と、この回転板２１の上面上における円周方向に等角度間隔毎に並んだ位置において各々鉛直方向に伸びるよう設けられた複数本例えば５本の棒状のフレーム要素２２と、各々のフレーム要素２２の上端部を支持する円環状の支持枠２３とにより構成されており、フレーム要素が設けられていないことにより回動枠体２０内の搭乗用スペースＳに対する出入り口用の開口部２４が形成されている。図６における符号２７は、回動枠体２０に固定されて設けられた、人の搭乗位置を規制するガイドレールである。
【００１８】
この回転式ゲート機１１には、被管理対象者Ｈまたはそれ以外の人が回動枠体２０内の搭乗用スペースＳに進入したときに、回動枠体２０の回動動作を一時的に禁止する回転禁止機構（一時ロック機構）２８が設けられている。
回転禁止機構２８は、例えば、管理装置５０からの動作指令信号に基づいて駆動されるメカシリンダーにより構成されており、メカシリンダーの駆動ロッドが上下動されることにより回転板２１の外周縁部分に設けられた回転禁止突起部に係止されて回転板２１の回転が禁止され、これにより、ロック状態とされる。
【００１９】
また、回動枠体２０の開口部２４が例えばメインフレーム１２における外方側通過口１５Ａまたは内方側通過口１５Ｂに合致した状態でそれ以上の回動枠体２０の回転を規制するストッパー（図示せず）が設けられている。
【００２０】
この管理ゲートシステム１０においては、特定領域Ａに対する入退室が許可された被管理対象者Ｈに付与された無線発信器から発信される当該被管理対象者のＩＤ情報を含む自他識別信号を受信する信号受信手段３０と、回転式ゲート機１１に対して所定の位置を通過したことを検知する外方側ゲートセンサーおよび内方側ゲートセンサーと、回転式ゲート機１１内における人の存在の有無を検知するゲート機内エリアセンサー３８と、回転式ゲート機１１の回動枠体２０における開口部２４の位置（開口方向）を検出する位置検出手段４０とを具えている。
【００２１】
被管理対象者Ｈに対して付与される無線発信器としては、例えばパッシブ型ＲＦＩＤタグ５５が用いられ、信号受信手段３０から発信される電波が受信されることにより当該被管理対象者ＨのＩＤ情報を含む自他識別信号が発信される。
【００２２】
信号受信手段３０は、複数例えば２つの信号受信アンテナ３１と、当該信号受信アンテナ３１によって受信された、パッシブ型ＲＦＩＤタグ５５からの被管理対象者Ｈの自他識別信号を管理装置５０に伝送する受信装置３２とを有する。
信号受信アンテナ３１は、例えば回転式ゲート機１１の両側上方位置において、互いに対向して設置されており、これら２つの信号受信アンテナ３１の各々の信号受信エリアが互いに干渉することなく回転式ゲート機１１の搭乗用スペースＳ（平面領域）を実質的にカバーする大きさ、換言すれば、被管理対象者Ｈが回転式ゲート機１１内に存在するときにのみ当該被管理対象者Ｈに係る自他識別信号を受信する大きさの通信可能範囲を形成する。
【００２３】
回転式ゲート機１１の、特定領域Ａに対して外方側の位置に設置される外方側ゲートセンサーは、例えば光ビームが遮断されることにより被管理対象者Ｈまたはその他の人の通過を検出する光電スイッチ（以下、「外方側ライトカーテン３５」という。）により構成されており、光ビームが人の進行方向に対して直交する方向に伸びる状態でメインフレーム１２の支柱１３に設置されている。
回転式ゲート機１１の、特定領域Ａに対して内方側の位置に設置される内方側ゲートセンサーについても同様に、例えば光ビームが遮断されることにより被管理対象者Ｈの通過を検出する光電スイッチ（以下、「内方側ライトカーテン３６」という。）により構成されており、光ビームが人の進行方向に対して直交する方向に伸びる状態でメインフレーム１２の支柱１３に設置されている。
【００２４】
ゲート機内エリアセンサー３８は、例えば光ビームが遮断されることにより被管理対象者Ｈまたはその他の人が回動枠体２０内の搭乗スペースＳに存在することを検出する光電スイッチにより構成されており、回動枠体２０内の両側の位置において、光ビームが人の進行方向に対して直交する方向に伸びる状態で設置されている。
【００２５】
位置検出手段４０は、回動枠体２０の開口部２４がメインフレーム１２における外方側通過口１５Ａに合致した状態（開口部２４が外方側に開口する状態）にあることを検出する外方側スイッチ４１、および回動枠体２０の開口部２４がメインフレーム１２における内方側通過口１５Ｂに合致した状態（開口部２４が内方側に開口する状態）にあることを検出する内方側スイッチ４２により構成されている。
外方側スイッチ４１は、発光素子からの光を回動枠体２１に設けられた反射面構成部材２６Ａによって反射し、この反射光を受光素子により検出することにより回動枠体２１の開口部２４の開口方向を検出する構成とされている。
また、内方側スイッチ４２についても同様に、発光素子からの光を回動枠体２１に設けられた反射面構成部材２６Ｂによって反射し、この反射光を受光素子により検出することにより回動枠体２１の開口部２４の開口方向を検出する構成とされている。
【００２６】
管理ゲートシステム１０の一構成例を示すと、回転式ゲート機１１の搭乗用固定板１８の直径が０．８ｍであり、回動枠体２０の開口部２４の大きさは回転中心に対してなす角が１２０度となる大きさである。
各々の信号受信アンテナ３１の通信可能範囲の大きさが例えば０．６ｍであり、パッシブ型ＲＦＩＤタグ５５の通信可能範囲の大きさが例えば０．５〜０．６ｍである。
【００２７】
以下、上記入退室管理システムの動作について説明する。
先ず、外方側ライトカーテン３５を通過することにより被管理対象者Ｈまたはその他の人が特定領域Ａに進入しようとしていることが検出されて外方側ライトカーテン３５による検出信号が管理装置５０に出力される。
そして、外方側ライトカーテン３５を通過した人が回転式ゲート機１１における回動枠体２０内の搭乗スペースＳに進入すると、ゲート機内エリアセンサー３８によって回動枠体２０内の搭乗スペースＳに人が進入したことが検出されて回転禁止機構２８が動作されて回動枠体２０の回動動作が一旦禁止される。ここに、回動枠体２０は、通常、回転禁止機構２８が解除されており、開口部２４が内方側に開口した状態とされている場合には、被管理対象者Ｈおよびその他の人のいずれの人であっても、手動によって自由に回動させることができる状態とされており、被管理対象者以外の人であっても回動枠体２０内の搭乗スペースＳに進入すること自体は可能とされている。
ゲート機内エリアセンサー３８による検出と同時に、信号受信手段３０における信号受信アンテナ３１が常時電波を発信していることから、パッシブ型ＲＦＩＤタグ５５がこの電波を受信することによって発信する被管理対象者Ｈに係る自他識別信号が信号受信アンテナ３１によって受信されることによって、回動枠体２０内の搭乗スペースＳに存在する人が被管理対象者Ｈであることが確認され、これにより、回動枠体２０のロックが解除されて回動枠体２０を回動させることができる状態とされる。これに対して、回動枠体２０内の搭乗スペースＳに存在する人がパッシブ型ＲＦＩＤタグ５５を所持していない人である場合には、回転禁止機構２８によるロック状態が維持されて当該人が特定領域Ａ内に進入することが拒否される。ここに、自他識別信号が受信されることにより管理装置５０から進入許可信号が出力されて回転式ゲート機１１の近傍に設置された例えばパトランプが点灯されるなどして、特定領域Ａへの進入が許可されたことが被管理対象者Ｈに報知される。
次いで、被管理対象者Ｈが回動枠体２０を手動によって回動させて開口部２４をメインフレーム１２の内方側通過口１５Ｂに合致させた状態とすると、位置検出手段４０を構成する内方側スイッチ４２によって回動枠体２０の開口部２４が内方側に開口した状態とされていることが検出され、その後、被管理対象者Ｈが回動枠体２０から退出することにより信号受信手段３０による自他識別信号の受信およびゲート機内エリアセンサー３８による検出信号の出力が停止され、この状態で、内方側ライトカーテン３６を通過することにより被管理対象者Ｈが特定領域Ａ内に進入したこと（被管理対象者Ｈの移動方向）が管理装置５０によって認識されて、信号受信手段３０から入力されている自他識別信号に係る被管理対象者ＨのＩＤ情報が管理装置５０における記録手段に記録されると共に当該被管理対象者ＨのＩＤ情報例えば氏名等が表示装置５１に表示され、これにより、特定領域Ａ内に滞在する被管理対象者Ｈの管理が行われる。ここに、表示装置５１には、例えば、特定領域Ａ内に滞在する被管理対象者Ｈの人数、管理ゲートシステムの動作状態などの情報が表示される。
【００２８】
以上のように、被管理対象者Ｈが特定領域Ａ内に進入したことが検出されて管理装置５０に登録される条件は、外方側ライトカーテン３５による検出信号、ゲート機内エリアセンサー３８による検出信号、信号受信手段３０による被管理対象者Ｈに係る自他識別信号の受信、位置検出手段４０である内方側スイッチ４２による検出信号および内方側ライトカーテン３６による検出信号のすべてが揃っていることが必要とされており、例えば内方側スイッチ４２によって回動枠体２０の開口部２４が内方側に開口している状態であることが検出された場合であっても、被管理対象者Ｈが回動枠体２０内から退出せずに回動枠体２０を再び回動させて引き返した場合には、内方側ライトカーテン３６による検出信号が得られていないと共に、ゲート機内エリアセンサー３８による検出信号および信号受信手段３０による自他識別信号が受信されている状態が継続されていることから、被管理対象者Ｈが特定領域Ａ内に進入していないことが認識され、当該被管理対象者ＨのＩＤ情報が誤って登録、表示されることが確実に防止される。
【００２９】
一方、被管理対象者Ｈが特定領域Ａから退出する場合には、被管理対象者Ｈが内方側ライトカーテン３６を通過することにより被管理対象者Ｈが特定領域Ａから退出しようとしていることが検出されて内方側ライトカーテン３６による検出信号が管理装置５０に出力される。
そして、回動枠体２０を必要に応じて回動させて開口部２４の位置を調整して回動枠体２０内に進入すると、ゲート機内エリアセンサー３８によって被管理対象者Ｈが回動枠体２０内の搭乗用スペースＳに進入したことが検出されると共に、信号受信手段３０によってパッシブ型ＲＦＩＤタグ５５からの自他識別信号が受信され、当該自他識別信号に係るＩＤ情報と管理装置５０に記録されている登録記録との照合が行われて特定領域Ａから退出しようとする被管理対象者Ｈが特定される。ここに、自他識別信号が受信されることにより管理装置５０から退出許可信号が出力されて回転式ゲート機１１の近傍に設置された例えばパトランプが点灯されるなどして、特定領域Ａからの退出が許可されたことが被管理対象者Ｈに報知される。
次いで、被管理対象者Ｈが回動枠体２０を手動により回動させて開口部２４をメインフレーム１２の外方側通過口１５Ａに合致した状態とすると、位置検出手段４０である外方側スイッチ４１によって開口部２４が外方側に開口していることが検出され、その後、外方側ライトカーテン３５を通過することにより、被管理対象者Ｈが特定領域Ａから退出したこと（被管理対象者Ｈの移動方向）が管理装置５０によって認識され、記録手段に記録されている当該被管理対象者Ｈの登録記録が抹消されると共に、表示装置５１に表示されている情報が消去される。
【００３０】
以上のように、被管理対象者Ｈが特定領域Ａから退出したことが検出されて管理装置５０に登録されている情報を消去（抹消）する条件は、内方側ライトカーテン３６による検出信号、ゲート機内エリアセンサー３８による検出信号、信号受信手段３０による被管理対象者Ｈに係る自他識別信号の受信、位置検出手段４０である外方側スイッチ４１による検出信号および外方側ライトカーテン３５による検出信号のすべてが揃っていることが必要とされる。
【００３１】
而して、上記入退室管理システムによれば、基本的には、パッシブ型ＲＦＩＤタグ５５から発信される、被管理対象者ＨのＩＤ情報を含む自他識別信号を信号受信アンテナ３１によって受信して検出することにより、被管理対象者Ｈが特別な行為を行うことなしに、当該被管理対象者Ｈの、特定領域に対する入退室がいわば自動的に管理されるので、被管理対象者Ｈの特定領域Ａに対する入退室の管理およびパッシブ型ＲＦＩＤタグ５５を所持しない不当な人の出入りの規制を高い信頼性をもって確実に行うことができる。
しかも、搭乗用スペースＳの大きさが２人以上の人が同時に進入することが許容されない大きさとされた回転式ゲート機１１が用いられていると共に信号受信手段３０の通信可能範囲が実質的に回転式ゲート機１１内のエリアをカバーする程度の大きさであること、換言すれば、被管理対象者Ｈが回動枠体２０内の搭乗スペースＳに存在しているときにのみ自他識別信号が受信可能とされる大きさであることにより、パッシブ型ＲＦＩＤタグ５５における通信可能範囲が狭いという欠点を逆に利用して、特定領域Ａと当該特定領域Ａ以外の他の領域との境界に、明確な被管理対象者Ｈの検出エリアが確立されて被管理対象者Ｈを一人ずつ管理することができるので、被管理対象者Ｈの特定領域Ａに対する入退室の管理、例えば特定領域Ａ内に滞在する被管理対象者Ｈの人数の管理を確実に行うことができる。
また、複数箇所の入退室口Ｇの各々に設置された管理ゲートシステム１０による検出信号が共通の管理装置５０によって一括して管理されるので、被管理対象者の入退室口Ｇの利用に関する制限がなくなり、高い利便性を得ることができる。
【００３２】
また、信号受信手段３０、外方側ゲートセンサー３５および内方側ゲートセンサー３６に加えて更に、ゲート機内エリアセンサー３８および位置検出手段４０を具えていることにより、被管理対象者Ｈの移動方向の特定を極めて高い精度で行うことができ、被管理対象者Ｈの入退室の管理を一層高い信頼性をもって行うことができる。
さらに、被管理対象者Ｈの情報が表示装置５１に表示されることにより、特定領域Ａ内に存在する被管理対象者Ｈを第三者が容易に確認することができる。
【００３３】
以上、本発明の実施形態について説明したが、本発明は上記の実施形態に限定されるものではなく、種々の変更を加えることができる。
例えば、本発明の入退室管理システムにおいては、特定領域に対する入退室口を構成する監視ゲートの数、一度に管理することのできる被管理対象者の数およびその他の具体的な構成は特に限定されるものではない。
また、本発明の入退室管理システムにおいては、双方向に通行可能な構成の回転式ゲート機が用いられている必要はなく、一の入退室口に対して、特定領域への入室用ゲート機および特定領域からの退出用ゲート機が別個に設置されて構成されていてもよく、この場合には、例えば一方向にのみ通行可能に構成された、回転するパイプ又は、バーにより入退場を規制する、いわゆる「バーゲート方式」のものを用いることができ、すなわち、回転式ゲート機は、被管理対象者の入退室を制限可能な構成のものであれば、特に制限されない。
【産業上の利用可能性】
【００３４】
本発明の入退室管理システムは、人の出入りが制限されるべき立ち入り制限領域に対する、被管理対象者の入退室の管理を、高い信頼性をもって確実に行うことのできるものであるので、例えば、プレスラインやその他の大型機械が設置された、機械の駆動により人が危険な状態となり得る領域、放射線管理区域、あるいは高度の機密（セキュリティー）が要求される場所などの特定の領域に対する入退室の管理を行う場合に極めて有用なものとなることが期待される。
【図面の簡単な説明】
【００３５】
【図１】本発明の入退室管理システムの一例における構成の概略を示す説明図である。
【図２】図１に示す入退室管理システムを構成する管理ゲートシステムにおける構成を概略的に示す斜視図である。
【図３】図２示す管理ゲートシステムの構成を概略的に示す平面図である。
【図４】図２に示す管理ゲートシステムにおける回転式ゲート機の構成を概略的に示す正面図である。
【図５】図４に示す回転式ゲート機の側面図である。
【図６】図４に示す回転式ゲート機の上面図である。
【符号の説明】
【００３６】
１０  管理ゲートシステム
１１  回転式ゲート機
１２  メインフレーム
１３  支柱
１４  ベース
１５Ａ  外方側通過口
１５Ｂ  内方側通過口
１８  搭乗用固定板
２０  回動枠体
２１  回転板
２２  フレーム要素
２３  支持枠
２４  開口部
２５  ターンテーブル
２６Ａ，２６Ｂ  反射面構成部材
２７  ガイドレール
２８  回転禁止機構
３０  信号受信手段
３１  信号受信アンテナ
３２  受信装置
３５  外方側ライトカーテン
３６  内方側ライトカーテン
３８  ゲート機内エリアセンサー
４０  位置検出手段
４１  外方側スイッチ
４２  内方側スイッチ
５０  管理装置
５１  表示装置
５５  パッシブ型ＲＦＩＤタグ
Ａ  特定領域（立ち入り制限領域）
Ｇ  入退室口
Ｈ  被管理対象者
Ｓ  搭乗用スペース
【図１】
2008156931.tif 000003
【図２】
2008156931.tif 000004
【図３】
2008156931.tif 000005
【図４】
2008156931.tif 000006
【図５】
2008156931.tif 000007
【図６】
2008156931.tif 000008